(57)【要約】      （修正有）【課題】防水用のシール部材をケースや開閉蓋と一体に構成し、組立時の作業性を向上する。【解決手段】筒状のセンタ枠体１０と、そのセンタ枠体１０の両端の開口部を開閉可能に覆うレンズ側外装体１１及びディスク蓋体１３とを、備えて構成されている。センタ枠体１０の両端のレンズ側外装体１１及びディスク蓋体１３と接触する端面部に開口部を囲うように第１の嵌合溝及び第２の嵌合溝を設け、第１の嵌合溝にはレンズ側外装体１１に当接される第１のシール部材２０１を取り付けると共に、第２の嵌合溝にはディスク蓋体１３に当接される第２のシール部材を取り付け、レンズ側外装体１１又はディスク蓋体１３を閉じたときに、第１のシール部材２０１又は第２のシール部材を圧縮してレンズ側外装体１１又はディスク蓋体１３の内部が水密となるようにした。【選択図】図９
2006134514.tif 000002
【特許請求の範囲】
【請求項１】
筒状のセンタ枠体と、
前記センタ枠体の両端の開口部を開閉可能に覆う第１の蓋体及び第２の蓋体と、を備え、
前記センタ枠体の両端の前記第１の蓋体及び第２の蓋体と接触する端面部に前記開口部を囲うように第１の嵌合溝及び第２の嵌合溝を設け、前記第１の嵌合溝には前記第１の蓋体に当接される第１のシール部材を取り付けると共に、前記第２の嵌合溝には前記第２の蓋体に当接される第２のシール部材を取り付け、
前記第１の蓋体又は第２の蓋体を閉じたときに、前記第１のシール部材又は前記第２のシール部材を圧縮して当該第１の蓋体又は第２の蓋体の内部が水密となるようにしたことを特徴とする防水型電子機器。
【請求項２】
前記第１のシール部材及び前記第２のシール部材は、射出成形された後の前記センタ枠体の前記環状溝に、熱可塑性材料を加熱融解して射出成形により形成して一体に設けたことを特徴とする請求項１記載の防水型電子機器。
【請求項３】
前記第１のシール部材及び前記第２のシール部材は、射出成形された後の前記センタ枠体の前記環状溝に、複数のシール分割片を嵌め込んでつなぎ合わせて接着剤により固定して設けたことを特徴とする請求項１記載の防水型電子機器。
【請求項４】
前記第１のシール部材及び前記第２のシール部材は、前記第１の蓋体又は第２の蓋体を閉じたときに当該第１の蓋体又は第２の蓋体の内面に側方から当接される突条部を有し、
前記第１の蓋体又は第２の蓋体を開くときに前記突条部で当該第１の蓋体又は第２の蓋体の内面を払拭するようにしたことを特徴とする防水型電子機器。
【請求項５】
前記突条部は、断面形状が半円形、三角形、尖頭台形等のように先細とされていることを特徴とする請求項４記載の防水型電子機器。
【発明の詳細な説明】
【技術分野】
【０００１】
本発明は、センタ枠体の両端の開口部に第１の蓋体と第２の蓋体がそれぞれ防水（防滴）可能に取り付けられる防水型電子機器に関するものである。
【背景技術】
【０００２】
従来の、この種の防水型電子機器としては、例えば、特許文献１に記載されているようなものがある。特許文献１には、この特許出願人が先に特許出願したものであって、ディスク状記録媒体が着脱自在に装着されるディスク装着部を開閉蓋で開閉自在に覆うようにしたディスク記録及び／又は再生装置に関するものが記載されている。
【０００３】
この特許文献１に記載されたディスク記録及び／又は再生装置は、「ディスク状記録媒体が着脱自在に装着されるディスク装着部を開閉自在に覆う開閉蓋を有するプレーヤ本体と、上記開閉蓋を挟持可能とされたバックルと、を備え、上記バックルで上記開閉蓋をロックするようにした」ことを特徴としている。
【０００４】
このような構成を有するディスク記録及び／又は再生装置によれば、「バックルがある程度強い力でないと開かないため、開閉蓋をしっかりと挟持して、誤って開閉蓋を触った程度では開くことがなく、開閉蓋を強い締付力で挟持して簡単には開かないようにすることができる」という効果が得られる。
【０００５】
また、従来の、この種の防水型電子機器の他の例としては、例えば、特許文献２に記載されているようなものもある。特許文献２には、同じくこの特許出願人が先に特許出願したものであって、カメラに関するものが記載されている。
【０００６】
この特許文献２に記載されたカメラは、「幅と厚さとこれら幅及び厚さよりも大きな寸法の長さを有して細長形状に形成されたケースと、前記厚さ方向の一方に位置する前記ケースの前面に設けられた撮影レンズと、前記ケース内に設けられ前記撮影レンズを通して撮像された被写体像を検出して撮像信号を出力する撮像素子と、前記厚さ方向の他方に位置する前記ケースの後面上部に臨んで設けられ前記撮像素子から出力される前記撮像信号に基づいて前記被写体像の映像を表示する表示パネルとを備えたカメラにおいて、前記表示パネルは、その画面垂直方向が前記ケースの長さ方向に対して所定の角度で傾斜するように構成されている」ことを特徴としている。
【０００７】
このような構成を有するカメラによれば、「片手で保持する際に、撮影者の手や肩にかかる負担を減らし、且つ、シャッターボタンを押下する際の手ぶれを防止する上で有利なカメラを提供することができる」という効果が得られる。
【０００８】
しかしながら、上述した特許文献１及び２に示したような防水型電子機器においては、開閉蓋の内面全周にＯリングが装着されており、開閉蓋が閉塞されると、Ｏリングがケースの底部と開閉蓋との間の隙間を塞ぐようになっている。このＯリングの働きにより、バッテリー収納部やメモリカード収納部等に水が浸入しないように構成されていた。そのため、防水用のシール部材がケースや開閉蓋と別部品によって構成されていたことから、部品点数が増えて組立工数が多くなり、組立時の作業性が悪いという課題があった。また、Ｏリングの組立不良を生じると、防水機能が不十分になるという課題あった。
【特許文献１】特開２００３−８５９５７号
【特許文献２】特開２００４−１７９８５０号
【発明の開示】
【発明が解決しようとする課題】
【０００９】
解決しようとする問題点は、従来の防水型電子機器では、防水用のシール部材がケースや開閉蓋と別部品によって構成されていたため、部品点数が増えて組立工数が多くなり、組立時の作業性が悪いという点である。
【課題を解決するための手段】
【００１０】
本出願の防水型電子機器は、筒状のセンタ枠体と、そのセンタ枠体の両端の開口部を開閉可能に覆う第１の蓋体及び第２の蓋体と、を備え、センタ枠体の両端の第１の蓋体及び第２の蓋体と接触する端面部に開口部を囲うように第１の嵌合溝及び第２の嵌合溝を設け、第１の嵌合溝には第１の蓋体に当接される第１のシール部材を取り付けると共に、第２の嵌合溝には第２の蓋体に当接される第２のシール部材を取り付け、第１の蓋体又は第２の蓋体を閉じたときに、第１のシール部材又は第２のシール部材を圧縮して第１の蓋体又は第２の蓋体の内部が水密となるようにしたことを最も主要な特徴とする。
【００１１】
本出願の防水型電子機器は、第１のシール部材及び第２のシール部材は、射出成形された後のセンタ枠体の環状溝に、熱可塑性材料を加熱融解して射出成形により形成して一体に設けたことを特徴とする。
【００１２】
本出願の防水型電子機器は、第１のシール部材及び第２のシール部材は、射出成形された後のセンタ枠体の環状溝に、複数のシール分割片を嵌め込んでつなぎ合わせて接着剤により固定して設けたことを特徴とする。
【００１３】
本出願の防水型電子機器は、第１のシール部材及び第２のシール部材は、第１の蓋体又は第２の蓋体を閉じたときに第１の蓋体又は第２の蓋体の内面に側方から当接される突条部を有し、第１の蓋体又は第２の蓋体を開くときに突条部で第１の蓋体又は第２の蓋体の内面を払拭するようにしたことを特徴とする。
【００１４】
また、本出願の防水型電子機器は、突条部は、断面形状が半円形、三角形、尖頭台形等のように先細とされていることを特徴とする。
【発明の効果】
【００１５】
本出願の防水型電子機器によれば、センタ枠体の両端の端面部に第１のシール部材と第２のシール部材が取り付けられているため、第１の蓋体及び第２の蓋体にシール部材を取り付ける必要がないから、部品点数の増加を抑制して組立時の作業性を向上させることができると共に、シール部材の組立不良が生ずるおそれがないため、防水（防滴）機能が不十分になることがない。そのため、組立作業が比較的容易であって、組立性に優れていると共に、防水機能若しくは防滴機能を向上させて、蓋体の内部を確実にしっかりと防水若しくは防滴することができる。
【００１６】
本出願の防水型電子機器によれば、第１のシール部材と第２のシール部材がセンタ枠体に対して２色成形により一体に射出成形されているため、別部材からなるシール部材を後でセンタ枠体に取り付けるという煩わしい作業工数を省略することができ、組立工数を簡略化して作業性を向上することができる。
【００１７】
本出願の防水型電子機器によれば、複数のシール分割片によって第１のシール部材及び第２のシール部材を形成することができ、この場合には、第１及び第２のシール部材を射出成形する工数を省略して、センタ枠体を成形するための金型等を簡略化できると共に、シール部材を簡単に形成することができる。
【００１８】
本出願の防水型電子機器によれば、第１のシール部材及び第２のシール部材に突条部を設け、第１の蓋体又は第２の蓋体を開くときに、その突条部で第１の蓋体又は第２の蓋体の内面を払拭することにより、第１のシール部材又は第２のシール部材の近傍に付着した水や水滴を吹き払うことができ、その水や水滴が蓋体の内部に入り込まないようにすることができる。
【００１９】
また、本出願の防水型電子機器によれば、第１のシール部材及び第２のシール部材の突条部は、半円形、三角形、尖頭台形等のように先細となる断面形状に形成することにより、蓋体の開放時、その突条部によって第１のシール部材又は第２のシール部材の近傍に付着した水や水滴をしっかりと確実に吹き払うことができる。
【発明を実施するための最良の形態】
【００２０】
センタ枠体の両端にシール部材をそれぞれ設けることにより、第１及び第２の蓋体にシール部材を設けることなく、それらの蓋体を閉じたときには、それぞれシール部材を圧縮して蓋体の内部を水密にすることができ、組立作業が容易であって、防水（防滴）性に優れた防水型電子機器を、簡単な構造によって実現した。
【実施例１】
【００２１】
図１〜図２０は、本発明の実施の形態の例を示すものである。即ち、図１〜図１６は本発明の防水型電子機器の一実施例を示すディスク式防水型撮像装置であり、図１は正面図、図２は底面図、図３は平面図、図４は背面図、図５は左側面図、図６は右側面図、図７は外観斜視図、図８はバックルを開いて正面側から見た斜視図、図９は撮像装置本体の分解斜視図、図１０はセンタ枠体を底面側から見た斜視図、図１１は同じく平面側から見た斜視図、図１２はディスク式防水型撮像装置をディスク蓋体側から見た斜視図、図１３は同じくディスク蓋体を開いた斜視図、図１４はディスク蓋体を分解した斜視図、図１５はディスク蓋体とバックルを共に開いてディスク蓋体側から見た斜視図、図１６は使用状態を示す説明図である。
【００２２】
また、図１７は本発明に係るシール部材を断面した説明図、図１８Ａ，Ｂは同じくシール部材の作用を説明する説明図、図１９Ａ，Ｂ及びＣはシール部材の断面形状の他の例を示す説明図、図２０Ａ，Ｂは本発明のシール部材を説明する斜視図及び平面図である。
【００２３】
図１〜図１６に示す撮像装置１は、情報記憶メディアとしてディスク状記録媒体の一具体例を示すＤＶＤ−Ｒ（Digital Video Disc−Recordable）を使用し、光学的な画像をＣＣＤ（固体撮像素子）で電気的な信号に変換してＤＶＤ−Ｒに記録したり、液晶ディスプレイ等の平面モニタからなる表示装置に表示できるようにしたもの（以下「ディスク式防水型撮像装置」という。）である。しかしながら、本発明の撮像装置に係る情報記憶メディアとしては、この実施例で示すＤＶＤ−Ｒに限定されるものではなく、ＤＶＤ−ＲＷその他の記録可能な光学ディスクは勿論のこと、光磁気ディスク、磁気ディスク等のように他の記録方式のディスク状記録媒体を用いることができることは勿論である。また、情報記憶メディアとしては、他の形式の記録媒体、例えば、磁気テープ、半導体記録媒体等も用いることができるものである。
【００２４】
このディスク式防水型撮像装置１は、図１〜図１６に示すように、複数の開閉可能な蓋体を有する電子機器本体の一具体例を示す撮像装置本体２と、着脱自在に装着されるＤＶＤ−Ｒを回転駆動して情報信号の記録（書き込み）及び再生（読み出し）を行うディスクドライブ装置３と、このディスクドライブ装置３の駆動制御等を行う制御回路等が設けられた図示しない制御装置と、被写体の像を光として取り込んで撮像手段としてのＣＣＤ（図示せず）に導くレンズ装置５と、そのＣＣＤから出力される映像信号に基づき映像を表示する液晶ディスプレイ等の平面モニタを有するタッチパネル装置７と、ＣＣＤから出力される映像信号を一時的に記憶する図示しない記憶装置等を備えて構成されている。これらディスクドライブ装置３とレンズ装置５とタッチパネル装置７等は、すべて撮像装置本体２内に収納されている。
【００２５】
図１〜図９に示すように、撮像装置本体２は、中央部に配置されたセンタ枠体１０と、このセンタ枠体１０の一面側を覆う第１の蓋体の一具体例を示すレンズ側外装体１１と、このレンズ側外装体１１に設けた開口部を開閉可能に覆うバックル１２と、センタ枠体１０の他面側であるディスク装着部４７の全体を開閉可能に覆う第２の蓋体の一具体例を示すディスク蓋体１３とから構成されている。ディスク蓋体１３は、センタ枠体１０に対してヒンジ機構６９を介して回動自在に取り付けられており、ディスク蓋体１３の回動動作によってディスク装着部４７が開閉されるようになっている。
【００２６】
図９〜図１１に示すように、センタ枠体１０は、平面形状が略馬蹄形をなしており、略Ｕ字状に形成された曲線枠部１６と、その曲線枠部１６の開口側を略直線状に連結する横桟部１５とを有する枠材からなっている。このセンタ枠体１０は、ディスクドライブ装置３等を収納できる高さを有しているが、横桟部１５側が高く設定されており、その反対側である曲線枠部１６の高さは、中央に至るに伴って逐次的に低くなるように勾配を有する形状とされている。このセンタ枠体１０内に、ディスクドライブ装置３や制御装置その他の装置及び機器が配置されている。
【００２７】
このセンタ枠体１０の一面であるディスク蓋体１３側の面と反対側の面に、第２の蓋体であるレンズ側外装体１１が複数個の固定ネジによってネジ止めされて固定されている。レンズ側外装体１１の横桟部１５側には開口部１７が大きく開口されて設けられており、その開口部１７がバックル１２によって開閉自在とされている。そして、バックル１２は、センタ枠体１０に回動自在に支持された一対のヒンジアーム２３，２３によって回動自在に支持されている。この一対のヒンジアーム２３，２３の回動動作によってバックル１２が、図７に示す閉鎖位置若しくは図８に示す開放位置、又はこれら閉鎖位置から開放位置までの間の任意の位置で停止可能に構成されている。
【００２８】
また、バックル１２の内面の外周縁には、その全周に亘ってシール部材２４が取り付けられている。このシール部材２４は、バックル１２と撮像装置本体２との間の密着性を確保し、バックル１２内部の防水（若しくは防滴）構造を実現するものである。シール部材２４は、例えば、２色成形によってバックル１２と一体に形成してもよく、また、紐状のシール部材を接着剤でバックル１２に一体的に固定する構成としてもよい。
【００２９】
このバックル１２は、バッテリー収納部１８を有する開口部１７を開閉する蓋体としての機能の他に、ディスク蓋体１３を閉じた位置に強く締め付けて固定する締結具の機能も兼ね備えている。そのため、バックル１２の先端側の略中央部には、回動自在に支持されたローラ３０を有する締結具２９が設けられている。これに対応させて、ディスク蓋体１３の先端側の略中央部には、ローラ３０が着脱自在に係合される係合突起３１が設けられている。この係合突起３１にローラ３０を乗り越えさせて締結具２９を係合することにより、ディスク蓋体１３をバックル１２で強固に締め付けて閉じた位置に保持することができる。
【００３０】
この締め付け動作と逆動作を締結具２９に加え、ディスク蓋体１３の係合突起３１から離れる方向にローラ３０を回動させてその係合状態を解除することにより、バックル１２を開放して開口部１７を開口させることができる。この開口部１７内にはバッテリー収納部１８と３つの操作手段が配置されており、これらがバックル１２によって閉塞又は開放可能とされている。３つの操作手段は、記録手段によるディスク状記録媒体への記録動作を停止させる第１の操作手段である記録停止スイッチ２１と、第２の操作手段であるスライドツマミ２２と、何らかのトラブルによって起動停止されたディスク式防水型撮像装置１を再起動させるための再起動スイッチ２７である。
【００３１】
かくして、バックル１２が図７に示す閉じた位置にあるときには、開口部１７がバックル１２によって閉じられるため、バッテリー収納部１８と３つの操作手段とが共に覆い隠される。しかも、バックル１２の内面の外周縁に設けたシール部材２４が全周に亘ってレンズ側外装体１１の開口部１７の周縁に液密に密着されるため、その密着部から撮像装置本体２の内部に埃や塵等が入り込むのを防止できることは勿論のこと、水や水分等の液体が入り込むことをも確実に防止することができる。
【００３２】
一方、バックル１２が、図８に示す開放位置にあるときには、バッテリー収納部１８と記録停止スイッチ２１とスライドツマミ２２と再起動スイッチ２７とがそれぞれ露出される。そのため、バックル１２の開放状態では、バッテリー収納部１８から電源の一具体例を示すバッテリー２８を取り出したり、そのバッテリー収納部１８に新たなバッテリー２８を装着したりすることができる。また、バックル１２が開放位置にあるときにのみ記録停止スイッチ２１とスライドツマミ２２と再起動スイッチ２７とが操作可能な状態となるため、バックル１２が開放される前にスライドツマミ２２が誤って操作されたり、所定の情報信号が記録される前に誤ってディスク蓋体１３が開放されて、記録漏れ等の不具合が発生するのを防止することができる。
【００３３】
バッテリー収納部１８は、図８に示すバッテリーホルダ１９によって構成されている。バッテリーホルダ１９は、上面と前面に開口された長方形の筐体からなり、その背面部には、バッテリー２８の端子部に接続される本体側の接続端子が取り付けられる端子部が設けられている。バッテリーホルダ１９の左側面部の前部には、スライドツマミ２２を保持するスイッチ受け台９５が設けられている。
【００３４】
バックル１２の開放操作は、バックル１２の先端側の略中央に設けた締結具２９のローラ３０を、ディスク蓋体１３の先端側の略中央部に設けた係合突起３１を乗り越えさせて係合することによって実行される。この係合動作と逆動作を締結具２９に加えることにより、係合突起３１から離れる方向にローラ３０を回動させて、そのローラ３０と係合突起３１の係合状態を解除し、締結具２９を開放することができる。
【００３５】
図１３〜図１５に示すように、ディスクドライブ装置３は、メカデッキ３５とテーブル回転装置３６と光学ピックアップ装置３７とピックアップ移動装置等を備えて構成されている。メカデッキ３５は、ＤＶＤ−Ｒと略同程度の大きさを有する枠状の部材からなり、図示しない複数個のマウント部材を介してセンタ枠体１０に弾性的に支持されている。このメカデッキ３５の中央から一方へ偏倚した位置に、テーブル回転装置３６が搭載されている。テーブル回転装置３６は、メカデッキ３５に固定されたスピンドルモータ４０と、このスピンドルモータ４０の回転部に固定されたターンテーブル４１等から構成されている。
【００３６】
ターンテーブル４１は、ＤＶＤ−Ｒの中心孔が嵌合されるディスク嵌合部４１ａと、その中心孔の周縁部が載置されるディスク載置部４１ｂとからなっている。更に、嵌合部４１ａには、ＤＶＤ−Ｒの中心孔の周縁部に係合してＤＶＤ−Ｒを保持する複数個のクランプ爪４２（本実施例では３個）が周方向に等間隔あけて設けられている。各クランプ爪４２は、それぞれコイルバネによって半径方向外側へ付勢されている。このコイルバネのバネ力によるクランプ爪４２の保持力により、ＤＶＤ−Ｒがターンテーブル４１の中央にセンタリングされて、一定の保持力で保持される。このコイルバネのバネ力に抗してクランプ爪４２を後退させることにより、ターンテーブル４１に対するＤＶＤ−Ｒの装着動作及び離脱動作が可能となる。
【００３７】
光学ピックアップ装置３７は、ＤＶＤ−Ｒの情報記録面に対向されるピックアップレンズ４４を有する二軸アクチュエータと、この二軸アクチュエータが搭載されたスライド部材４５等を備えて構成されている。スライド部材４５は、図に表れないピックアップ移動装置によって往復移動自在とされていて、ターンテーブル４１に対して接近及び離反可能に構成されている。ピックアップ移動装置は、互いに平行に配置された２本のガイド軸と、これらガイド軸と平行に設けられた送りネジ軸と、この送りネジ軸を回転駆動する送りモータ等から構成されている。
【００３８】
ピックアップ移動装置の２本のガイド軸は、スピンドルモータ４０を両側から挟んでディスク式防水型撮像装置１の前後方向に延在されている。この２本のガイド軸にスライド部材４５が摺動可能に保持されており、そのスライド部材４５に取り付けられたナット部材が送りネジ軸のネジ部に係合されている。かくして、ピックアップ移動装置の送りモータを回転駆動することにより、送りネジ軸の回転方向に応じて光学ピックアップ装置３７が、ターンテーブル４１に近づく方向とそのターンテーブル４１から離れる方向とに選択的に移動される。
【００３９】
このような構成を有するディスクドライブ装置３が、ターンテーブル４１をディスク蓋体１３側に配した状態でセンタ枠体１０に取り付けられている。このディスクドライブ装置３のターンテーブル４１側に、ＤＶＤ−Ｒ等のディスク状記録媒体が着脱可能に装着されるディスク装着部４７が設定されている。更に、撮像装置本体２内のディスクドライブ装置３の奥にはレンズ装置用の空間部が設定されており、その空間部内にレンズ装置５が配設されている。
【００４０】
図４及び図１２に示すように、ディスク蓋体１３には、円形に盛り上げられた膨出部１３ａが設けられている。この膨出部１３ａは、ターンテーブル４１に装着されるディスク状記録媒体（例えば、直径が８ｃｍのＤＶＤ−Ｒ等）の大きさに見合う大きさとされている。このディスク蓋体１３の膨出部１３ａの略中央部には長方形をなす開口窓４８が設けられており、その開口窓４８には表示装置の一具体例を示すタッチパネル装置７が取り付けられている。
【００４１】
タッチパネル装置７は、タッチパネルと表示パネルとバックライトパネルとホルダと押え板等を備えて構成されている。タッチパネルの一面に表示パネルが接着剤によって接着され、その表示パネルの他面にバックライトパネルが配置されている。表示パネルとバックライトパネルの周囲は、四角形の枠体からなるスペーサによって囲われており、このスペーサがタッチパネルとバックライトパネルで挟持されていて、これにより、全体で１つの組立体をなすタッチパネル装置７が構成されている。表示パネルとしては、例えば、液晶ディスプレイ（ＬＣＤ）やＥＬ(Electroluminescence）パネル等の平面モニタが好適である。
【００４２】
更に、ディスク蓋体１３の膨出部１３ａのタッチパネル装置７の下部には、電源をオン・オフ等に操作するための切換スイッチ５０等が配設されている。切換スイッチ５０は、円弧状にスライド可能とされていると共に、所定位置において押圧操作可能に構成されている。即ち、切換スイッチ５０は、スライド操作によって電源のオン・オフが切り換えられると共に、その電源のオン位置において押圧操作することにより、撮影モード（例えば、静止画撮影、動作撮影、再生表示等）の切り換えが可能とされている。このディスク蓋体１３の膨出部１３ａより外側の右上部には、撮像装置本体２を把持するための把持部５２の一部を構成する第１の指掛け部５２ａが設けられている。この第１の指掛け部５２ａには、右手の親指が当接される。
【００４３】
図３及び図１５に示すように、センタ枠体１０の曲線枠部１６における横桟部１５側の一方の端部には、撮影の開始と終了を実行する録画ボタン５４と、一対のズームボタンが配置されている。一対のズームボタンは、レンズ装置５をワイド（広角）側に移動させるワイドボタン５５と、レンズ装置５をテレ（望遠）側に移動させるテレボタン５６とから構成されている。ワイドボタン５５とテレボタン５６は、所定の範囲内においてそれぞれのボタンを押し続ける間だけ画面の拡大又は縮小が連続して実行され、それぞれの終端においてワイド側又はテレ側への移動が停止されるようになっている。
【００４４】
図２及び図７に示すように、センタ枠体１０の曲線枠部１６における横桟部１５側の他方の端部には、このディスク式防水型撮像装置１を、図示しない三脚に取り付けるための三脚用固定金具５８が埋め込まれ、複数個の固定ネジ５９によって着脱可能に取り付けられている。三脚用固定金具５８は、長手方向両端の円弧部分の曲率半径が異なる略長円形の部材からなり、その大径側に三脚の固定ネジが螺合されるネジ穴５８ａが設けられている。
【００４５】
図１及び図７等に示すように、ディスク式防水型撮像装置１の正面に配置されたレンズ側外装体１１のバックル１２と反対側の端部には、正面に撮像レンズ６２を露出させた状態でレンズ装置５が配設されている。このレンズ装置５を配置するためレンズ側外装体１１には、正面側に突き出したレンズ用膨出部１１ａが設けられており、そのレンズ用膨出部１１ａにはレンズカバー６５が装着されている。そして、レンズ用膨出部１１ａに設けた凹陥部１１ｂ内に、撮像レンズ６２を保護するためのレンズ保護ガラスを有するレンズ防水装置が設けられている。
【００４６】
レンズ装置５は、複数個の筒体の組み合わせからなるレンズ鏡筒と、このレンズ鏡筒に保持された撮像レンズ６２を含む複数枚のレンズの組み合わせからなるレンズユニットとを備えて構成されている。そのレンズユニットの光軸上の後方に、撮像手段の一具体例を示すＣＣＤ（固体撮像素子）が配置されている。ＣＣＤはレンズ鏡筒に固定されていて、その受光面の略中央部にレンズユニットの光軸が設定されている。このレンズ装置５のレンズユニットを透過した被写体の光がＣＣＤに受光されることにより、その被写体に対応した電気信号からなる映像信号がＣＣＤから制御装置やタッチパネル装置等に出力される。
【００４７】
レンズカバー６５は、レンズ側外装体１１のレンズ用膨出部１１ａに見合う形状とされていて、凹陥部１１ｂ内に開口穴１１ｃが設けられている。レンズ用膨出部１１ａの開口穴１１ｃには、レンズ保護ガラスを固定する固定部材６７が嵌合されている。このレンズカバー６５は、複数個の固定ネジによってレンズ側外装体１１に着脱可能に取り付けられている。
【００４８】
また、図１０に示すように、センタ枠体１０の一方の端面部であるレンズ側外装体１１と接触される端面部には、第１のシール部材２０１が取り付けられる第１の嵌合溝が設けられている。そして、図１１に示すように、センタ枠体１０の他方の端面部であるディスク蓋体１３と接触される端面部には、第２のシール部材２０２が取り付けられる第２の嵌合溝が設けられている。第１の嵌合溝は、曲線枠部１６において、断面角形の凹部が連続した溝として形成されている。一方、横桟部１５においては、複数本の支持ピン２２１が設けられており、これらの支持ピン２２１を嵌合溝に代用させて、後述するように、第１のシール部材２０１を２色成形可能にしている。
【００４９】
第２の嵌合溝は、曲線枠部１６においては、断面角形の凹部が連続した溝として形成されている。そして、横桟部１５においては、断面角形の凹部を側面に開口させ、その両端で円弧部３５ａからの溝に連続するように形成されている。この第２の嵌合溝には、第２のシール部材２０２が２色成形によって形成される。
【００５０】
第１のシール部材２０１及び第２のシール部材２０２は、センタ枠体１０を射出成形によって形成した後、その成形品を新たな金型にセットし、再び射出成形して形成するようにするとよい（いわゆる２色成形）。この場合、２色成形に代えて、インサート成形やその他の同様な成形技術を用いて一体的に形成することもできる。また、各シール部材２０１，２０２は、水密性を保持できる場合には、複数のシール分割片をつなぎ合わせて形成してもよい。更に、１本の環状に連続させたシール部材や、それを複数に分割したシール分割片を設け、そのシール分割片を、接着剤を用いて機械的に或いは手作業で貼り付けるようにしてもよい。
【００５１】
第１のシール部材２０１及び第２のシール部材２０２の断面形状としては、例えば、図１７に示すような形状のものを適用することができる。図１７に示す第１のシール部材２０３は、図中右から左方向へ向けて押し潰す力Ｆ１が生じるようにしたものである。また、第２のシール部材２０４は、図中下から上方向へ向けて押し潰す力Ｆ２が生じるようにしたものである。
【００５２】
第１のシール部材２０３は、断面形状がＬ字状とされており、これに装着される上蓋体２３１の内面である側面２３１ａに摺動接触する突条部２０３ａが、先細の一具体例を示す半円形の凸部として形成されている。第２のシール部材２０４は、断面形状がＬ字状とされており、これに装着される下蓋体２３２の内面である下面２３２ａに摺動接触する突条部２０４ａが、同じく半円形の凸部として形成されている。
【００５３】
第１のシール部材２０３に対応して、センタ枠体２００には、その上端部において上方に開口された第１の嵌合溝２１１が設けられている。第１の嵌合溝２１１は、上方に開口された四角形の溝からなり、その溝の外側の上部には、第１のシール部材２０３の突条部２０３ａが嵌合される切欠き２１１ａが設けられている。また、第２のシール部材２０４に対応して、センタ枠体２００には、その下端部において側方と下方に開口された第２の嵌合溝２１２が設けられている。第２の嵌合溝２１２は、側方に開口された切欠きのような溝からなり、その溝から内側に、第２のシール部材２０４の突条部２０４ａが重ね合わされている。
【００５４】
このような構成を有する第１のシール部材２０３によれば、例えば、図１８Ａ，Ｂに示すように作用して、水等の浸入を防止すると共に、上蓋体２３１の側面２３１ａに付着された水や水分を掻き落として、水等が電子機器の内部に入り込むのを防止することができる。なお、シール部材の材質としては、例えば、エラストマが好適であるが、その他にもシリコンゴムやニトリルゴム等のように各種の材料を用いることができる。
【００５５】
図１８Ａは、センタ枠体２００に上蓋体２３１を重ね合わせた状態を示すものである。同図に示す符号２５０は、センタ枠体２００と上蓋体２３１の合わせ目に入り込んだ水である。この水２５０は、第１のシール部材２０３の突条部２０３ａによって浸入が阻止されており、その合わせ目に入り込んだ状態となっている。なお、同図に示す突条部２０３ａは、図においては半円形となっていて、その一部が側面２３１ａに入り込んだ状態となっているが、これは突条部２０３ａが半円形となっていることを作図上から明らかにしたもので、実際は同図Ｂに示すように、その先端部は押し潰されて偏平になっている。
【００５６】
図１８Ａに示す状態から図１８Ｂに示すように、上蓋体２３１を上方に引き上げると、上蓋体２３１の側面２３１ａに付着した水２５０は、第１のシール部材２０３の突条部２０３ａによって掻き落とされる。そのため、上蓋体２３１の側面２３１ａに付着していた水２５０が電子機器の内部に入り込むのを確実に防止することができる。このような第１のシール部材２０３の水や水分の掻き落とし作用が、前記実施例で述べた第１及び第２のシール部材２０１，２０２によって実行されるため、そのディスク式防水型撮像装置１の防水性若しくは防滴性を高めることができる。
【００５７】
なお、第２のシール部材２０４の場合には、上述したような水の掻き落とし作用を得ることはできないが、下蓋体２３２の下面２３２ａで第２のシール部材２０４の突条部２０４ａを押し潰すことにより、確実な防水性若しくは防滴性を確保することができる。
【００５８】
図１９Ａ〜Ｃは、第１のシール部材及び第２のシール部材の断面形状の他の例を示すものである。図１９Ａは、シール部材２０５の突条部２０５ａを断面三角形として形成したものである。この三角形の突条部２０５ａによれば、蓋体の内面に付着した水や水分を強力に掻き落とすことができる。図１９Ｂは、シール部材２０６の突条部２０６ａを、先端の一側を円弧状に丸めて形成したものである。この半円弧形の突条部２０６ａによれば、突条部２０６ａの強度を高め、長期間の使用に耐えうるようにすることができる。また、図１９Ｃは、シール部材２０７に２つの突条部２０７ａ，２０７ｂを形成したものである。この２重構造の突条部２０７ａ，２０７ｂによれば、蓋体の内面に付着した水や水分を二重に掻き落とし、より強力な防水性若しくは防滴性を確保することができる。
【００５９】
なお、シール部材の断面形状としては、上述した実施例の形状に限定されるものではなく、その他の形状を適宜に採用できることは勿論である。
【００６０】
図２０Ａ，Ｂ及び図２１Ａ，Ｂは、第１のシール部材２０１及び第２のシール部材２０２を成形する際に留意すべき事項を説明するものである。これらの図において、符号３０１は湯口、３０２は湯道、３０３は湯道の導入部である。ここで、製品である第１のシール部材２０１及び第２のシール部材２０２の肉厚をＴとする。すると、図２１Ａ，Ｂに示すように、導入部３０３の幅Ｓ２を肉厚Ｔよりも大きくすると、製品２０１，２０２の導入部３０３に対応する部分に、引けと呼ばれる収縮した部分３０５が発生する。これは、製品２０１，２０２よりも導入部３０３の肉厚が大きいために、導入部３０３の溶融材料が固化する時間が遅くなり、それに引っ張られて製品２０１，２０２に凹部ができると考えられる。
【００６１】
そこで、図２０Ａ，Ｂに示すように、導入部３０３の幅Ｓ１を肉厚Ｔよりも小さくするようにする。この場合の幅Ｓ１と肉厚Ｔの比は、Ｓ１≦２／３Ｔ以下とすることが好ましい。このように寸法を設定することにより、図２０Ａ，Ｂに示すように、引けのない製品２０１，２０２を成形することができる。
【００６２】
このような構成を有するディスク式防水型撮像装置１によれば、バックル１２の内周縁には、その全周に亘ってシール部材２４が装着されており、バックル１２を閉じると、シール部材２４を介してバックル１２がレンズ側外装体１１に液密に密着される。そのため、バックル１２を閉じるだけで、バックル１２の内部を防水（防滴）構造とすることができる。これにより、バッテリー収納部１８や記録停止スイッチ２１、スライドツマミ２２等を個別に防水構造とする必要がないため、その防水構造によって装置全体が大型化されることがなく、小型でありながら防水構造を備えた電子機器を得ることができる。
【００６３】
また、図７に示すように、バックル１２を閉じると、締結具２９によってディスク蓋体１３が少々引っ張り込まれる。即ち、ディスク蓋体１３のロックに必要なバックラッシュ分を、バックル１２によって引き込むことができる。そのため、ディスク蓋体１３をセンタ枠体１０にしっかりと密着させることができ、これにより、ディスク蓋体１３の防水機能をより安定したものとすることができる。
【００６４】
このディスク式防水型撮像装置１によれば、センタ枠体１０に第１のシール部材２０１と第２のシール部材２０２とがそれぞれ一体に設けられているため、センタ枠体１０に対するレンズ側外装体１１（第１の蓋体）及びディスク蓋体１３（第２の蓋体）の組立性を高めることができると共に、組立後の水密性を高めて防水性及び防滴性に優れたディスク式防水型撮像装置１を構成することができる。
【００６５】
また、図７に示すように、バックル１２を閉じると、締結具２９によってディスク蓋体１３が少々引っ張り込まれる。即ち、ディスク側蓋体１３のロックに必要なバックラッシュ分を、バックル部２９によって引き込むことができる。そのため、バックル蓋体１２をレンズ側外装体１１にしっかりと密着させることができ、これにより、バックル蓋体１２の防水機能をより安定したものとすることができる。
【００６６】
図１６は、本実施例に係るディスク式防水型撮像装置１の使用状態の一例を示すものである。右手は撮影装置本体２の把持部５２を把持するように用いられ、左手は撮影装置本体２のレンズ装置５の近傍を把持するように用いられる。そのため、図１〜図３に示すように、レンズ側外装体１１のレンズ装置５と反対側の端部には、撮影装置本体２の把持部５２の一部を構成する第２の指掛け部５２ｂが設けられている。
【００６７】
ディスク式防水型撮像装置１の把持部５２の第２の指掛け部５２ｂには、右手の中指や薬指が当接される。この第２の指掛け部５２ｂに掛けられる右手の中指等と、第１の指掛け部５２ａに掛けられる右手の親指によって把持部５２が把持される。そして、右手の人差し指は、撮影装置本体２の上方に回され、録画ボタン５４とワイドボタン５５とテレボタン５６との３つの操作ボタン５４〜５６の操作に供される。このようにしてディスク式防水型撮像装置１がユーザーに保持され、人差し指による３つの操作ボタン５４〜５６の操作を経て所望の被写体を、所望の構図、大きさ等によって撮影することができる。
【００６８】
以上説明したように、本発明によれば、レンズ側外装体１１はセンタ枠体１０にビス止めにて取り付けられ、その際、第１の蓋体であるレンズ側外装体１１とセンタ枠体１０とでシール部材２０１を適度に押し潰すため、レンズ側外装体１１の接合部の防水機能を得ることができ、水や水分が内部に入り込むのを防止することができる。しかも、センタ枠体１０にシール部材が一体に取り付けられているため、別のシール部材をレンズ側外装体１１に組み込む必要がないから、組立性を高めることができる。
【００６９】
また、第２の蓋体であるディスク蓋体１３は、センタ枠体１０と一端でヒンジ機構６９にて連結され、それと反対側の端部においてバッフル１２で締結可能とされている。そのため、ディスク蓋体１３とセンタ枠体１０とでシール部材２０２を適度に押し潰して、同様に確実な防水機能を得ることができる。更に、スライドツマミ２２をスライドさせてディスク蓋体１３のロックを解除することにより、指をスライドツマミ２２に置いたそのままの状態でディスク蓋体１３を開放操作することができ、このときスライドツマミ２２は蓋開き用取手としての機能を果たすことができ、ロックされ且つパッキンにより密閉されている蓋体を簡単な操作で開けることができる。
【００７０】
また、撮像装置本体２に付着した水滴は、センタ枠体１０側にのみ付着し、ディスク蓋体１３側には残らないため、ディスク装着部４７内に水滴がたれることがなく、記録再生等の機能に影響を及ぼすことがない。更に、ディスク蓋体１３内側の壁によって水や水滴の浸入が防止されるため、ディスク蓋体１３の嵌合位置が壁方向にずれた場合にも、防水効果を確保することができる。更に又、シール部材が接触する壁の寸法を増やすことにより、防水機能の範囲を広げることができる。
【産業上の利用可能性】
【００７１】
前記実施例においては、ディスク式防水型撮像装置１に適用した例について説明したが、装置の全体が防水（防滴）型の電子機器ではなくてもよく、一部に防水（防滴）が必要な部分にも本願発明は適用可能である。更に、シール部材の帯の数は、必要に応じて２以上に増やしても良く、また、嵌合部分の形状に適した形状とすることができることは勿論である。
【００７２】
また、本発明は上述したディスク式防水型撮像装置以外の撮像装置、例えば、電子スチルカメラ、ビデオカメラ、カメラ機能付きパーソナルコンピュータ、カメラ機能付き携帯電話機、カメラ機能付きＰＨＳその他各種の撮像装置に適用できることは勿論である。更に、撮像装置以外の電子機器、例えば、ＤＶＤプレーヤ、テープレコーダ等のように、各種の電子機器に適用可能である。本発明は、前述しかつ図面に示した実施の形態に限定されるものではなく、その要旨を逸脱しない範囲内で種々の変形実施が可能である。
【図面の簡単な説明】
【００７３】
【図１】本発明の防水型電子機器の第１の実施例に係るディスク式防水型撮像装置を示す正面図である。
【図２】図１に示すディスク式防水型撮像装置の底面図である。
【図３】図１に示すディスク式防水型撮像装置の平面図である。
【図４】図１に示すディスク式防水型撮像装置の背面図である。
【図５】図１に示すディスク式防水型撮像装置の左側面図である。
【図６】図１に示すディスク式防水型撮像装置の右側面図である。
【図７】図１に示すディスク式防水型撮像装置をレンズ側外装体側から見た外観斜視図である。
【図８】図１に示すディスク式防水型撮像装置を、バックルを開けてレンズ側外装体側から見た外観斜視図である。
【図９】図１に示すディスク式防水型撮像装置の撮像装置本体に係るセンタ枠体とレンズ側外装体とディスク蓋体の分解斜視図である。
【図１０】図１に示すディスク式防水型撮像装置の撮像装置本体に係るセンタ枠体をレンズ側外装体側から見た斜視図である。
【図１１】図１に示すディスク式防水型撮像装置の撮像装置本体に係るセンタ枠体をディスク蓋体側から見た斜視図である。
【図１２】図１に示すディスク式防水型撮像装置をディスク蓋体側から見た斜視図である。
【図１３】図１に示すディスク式防水型撮像装置のディスク蓋体を開けた斜視図である。
【図１４】図１に示すディスク式防水型撮像装置のディスク蓋体を分解した斜視図である。
【図１５】図１に示すディスク式防水型撮像装置を、ディスク蓋体とバックルを開けてディスク蓋体側から見た斜視図である。
【図１６】図１のディスク式防水型撮像装置の使用状態を示す説明図である。
【図１７】本発明の防水型電子機器に係るセンタ枠体と第１及び第２の蓋体と第１及び第２のシール部材との関係を示す説明図である。
【図１８】図１７に示すシール部材の作用を説明するもので、同図Ａは蓋体を閉じた状態、同図Ｂは蓋体を開いた状態のそれぞれ説明図である。
【図１９】本発明の防水型電子機器に係るシール部材の断面形状の他の実施例を示すもので、同図Ａは三角形、同図Ｂは半円弧形、同図Ｃは２重構造のそれぞれ説明図である。
【図２０】本発明の防水型電子機器に係るシール部材を示すもので、同図Ａは斜視図、同図Ｂは平面図である。
【図２１】好ましくないシール部材を示すもので、同図Ａは斜視図、同図Ｂは平面図である。
【符号の説明】
【００７４】
１…ディスク式防水型撮像装置（防水型電子機器）、  ２…撮像装置本体（電子機器本体）、  ３…ディスクドライブ装置、  ５…レンズ装置、  ７…タッチパネル装置（表示装置）、  １０…センタ枠体、  １１…レンズ側外装体、  １２…バックル、  １３…ディスク蓋体、  １７…開口部、  １８…バッテリー収納部、  ２１…記録停止スイッチ、  ２２…スライドツマミ、  ３６…テーブル回転装置、  ４７…ディスク装着部、  ５２…把持部、  ６２…撮像レンズ、２０１，２０２，２０３，２０４，２０５，２０６，２０７…シール部材
【図１】
2006134514.tif 000003
【図２】
2006134514.tif 000004
【図３】
2006134514.tif 000005
【図４】
2006134514.tif 000006
【図５】
2006134514.tif 000007
【図６】
2006134514.tif 000008
【図７】
2006134514.tif 000009
【図８】
2006134514.tif 000010
【図９】
2006134514.tif 000011
【図１０】
2006134514.tif 000012
【図１１】
2006134514.tif 000013
【図１２】
2006134514.tif 000014
【図１３】
2006134514.tif 000015
【図１４】
2006134514.tif 000016
【図１５】
2006134514.tif 000017
【図１６】
2006134514.tif 000018
【図１７】
2006134514.tif 000019
【図１８】
2006134514.tif 000020
【図１９】
2006134514.tif 000021
【図２０】
2006134514.tif 000022
【図２１】
2006134514.tif 000023